(57)【要約】  多重チューナデジタル記憶装置は、記憶装置に記録したデジタルテレビジョン番組データからのライブポーズテレビジョン番組の視聴を提供し、デジタルテレビジョンチャンネル変更時のチャネル変更遅延を減らす。デジタルビデオ記憶装置は、チャンネル変更が期待（予測）されたデジタルテレビジョンチャンネルからのビデオデータを、現在選択されたデジタルテレビジョンチャンネルからのビデオデータの記憶と並行して処理および記憶する。デジタルビデオ記憶装置は、現在選択されたデジタルテレビジョンチャンネルに対して記憶したビデオデータおよび予測デジタルテレビジョンチャンネルに対して記憶されたビデオデータを読み出し、現在選択されたデジタルテレビジョンチャンネルのビデオデータを、ディスプレイへの表示のためデコードする。予測デジタルテレビジョンチャンネルに対するチャンネル変更要求を受信すると、読み出した予測デジタルテレビジョンチャンネルのビデオデータをディスプレイ表示のためデコードを始める。
2009524983.tif 000002
【特許請求の範囲】
【請求項１】
デジタルビデオ記憶装置の動作方法であって、
現在選択されたデジタルビデオソースのデジタルビデオビットストリームを記録するステップと、
予測デジタルビデオソースのデジタルビデオビットストリームを記録するステップと、
前記現在選択されたデジタルビデオソースの前記記録されたデジタルビデオビットストリームをディスプレイへの出力のため読み出しおよびデコードするステップと、
前記予測デジタルビデオソースの前記記録されたデジタルビデオビットストリームを実質的に同時に読み出すステップと
を備えることを特徴とする方法。
【請求項２】
デジタルビデオソース変更要求が前記予測デジタルビデオソースに一致するときに、前記予測デジタルビデオソースの前記記録されたデジタルビデオビットストリームをデコードするステップ
をさらに備えることを特徴とする請求項１に記載の方法。
【請求項３】
前記現在選択されたデジタルビデオソースの前記デジタルビデオビットストリームは前記デジタルビデオ記憶装置のハードドライブの第１のファイルに記録され、
前記予測デジタルビデオソースの前記デジタルビデオビットストリームは、前記デジタルビデオ記憶装置の前記ハードドライブの第２のファイルに記録されること
を特徴とする請求項１に記載の方法。
【請求項４】
前記記録された現在選択しているデジタルビデオビットストリームは、デコードされる前に、第１のビットバッファに読み出されることを特徴とする請求項１に記載の方法。
【請求項５】
前記記録された予測デジタルビデオビットストリームは、第２のビットバッファに読み出されることを特徴とする請求項４に記載の方法。
【請求項６】
デジタルビデオ記憶装置の動作方法であって、
前記デジタルビデオ記憶装置の第１のチューナで、現在選択されたデジタルビデオソースに同調するステップと、
前記デジタルビデオ記憶装置の第２のチューナで、予測デジタルビデオソースに同調するステップと、
前記現在選択されたデジタルビデオソースを処理して、現在選択されたデジタルビデオビットストリームを取得するステップと、
前記予測デジタルビデオソースを処理して、予測デジタルビデオビットストリームを取得するステップと、
前記現在選択されたデジタルビデオビットストリームを記録するステップと、
前記予測デジタルビデオビットストリームを記録するステップと、
前記記録された現在選択しているデジタルビデオビットストリームを読み出すステップと、
ビデオソース変更要求が受信されるまで、前記読み出された現在選択されたデジタルビデオビットストリームをディスプレイへの表示のためにデコードするステップと、
前記記録された予測デジタルビデオビットストリームを、実質的に同時に読み出すステップと、
受信したビデオソース変更要求が前記予測デジタルビデオソースに一致するとき、前記読み出された予測デジタルビデオビットストリームを前記ディスプレイへの表示のためにデコードするステップと
を備えることを特徴とする方法。
【請求項７】
前記現在選択されたデジタルビデオビットストリームを、前記ハードドライブ上の第１のファイルに記録し、
前記デジタルビデオビットストリームを、前記ハードドライブ上の第２のファイルに記録すること
を特徴とする請求項６に記載の方法。
【請求項８】
デコード前に、前記記録された現在選択しているデジタルビデオビットストリームは第１のビットバッファに読み出されることを特徴とする請求項７に記載の方法。
【請求項９】
前記記録した予測デジタルビデオビットストリームは、第２のビットバッファに読み出されることを特徴とする請求項８に記載の方法。
【請求項１０】
受信したデジタルテレビジョンジョン信号の第１のデジタルビデオソースから第１のデジタルビデオビットストリームを取得する第１のデジタルテレビジョン信号処理部と、
前記受信したデジタルテレビジョン信号の第２のデジタルビデオソースから第２のデジタルビデオビットストリームを取得する第２のデジタルテレビジョン信号処理部と、
前記第１のテレビジョン信号処理部および前記第２のテレビジョン信号処理部と結合されたデータ記憶装置と、
デジタルビデオビットストリームをデコードするよう構成されたデコーダと、
前記データ記憶装置、前記デコーダならびに前記第１のデジタルテレビジョン信号処理部および前記第２のデジタルテレビジョン信号処理部と結合された制御装置と、
前記制御装置に結合されたメモリであって、前記メモリは、
前記取得した第１のデジタルビデオビットストリームを前記データ記憶装置に記憶するステップと、
前記取得した第２のデジタルビデオビットストリームを前記データ記憶装置に記憶するステップと、
前記第１のデジタルビデオビットストリームを前記データ記憶装置から読み出すステップと、
ビデオソース変更要求が受信されるまで、前記読み出された第１のデジタルビデオビットストリームをデコードするステップと、
前記第１のデジタルビデオビットストリームの読み出しと並行して、前記第２のデジタルビデオビットストリームを前記データ記憶装置から読み出すステップと、
受信したビデオソース変更要求が前記第２のデジタルビデオソースに一致するとき、前記読み出された第２のデジタルビデオビットストリームをデコードするステップと
を実行させるよう動作するプログラムを含むことと
を備えたことを特徴とするデジタルビデオ記憶装置。
【請求項１１】
前記メモリは、
前記第１のデジタルビデオビットストリームを、前記記憶装置上の第１のファイルに記録するステップと、
前記第２のデジタルビデオビットストリームを、前記記憶装置上の第２のファイルに記録するステップと
を実行させるように動作するプログラム命令をさらに有することを特徴とする請求項１０に記載のデジタルビデオ記憶装置。
【請求項１２】
前記メモリは、
デコード前に、前記記録された第１のデジタルビデオビットストリームを第１のビットバッファに読み出すステップと、
前記第２のデジタルビデオビットストリームを第２のビットバッファに読み出すステップと
を実行させるように動作するプログラム命令をさらに有することを特徴とする請求項１０に記載のデジタルビデオ記憶装置。
【発明の詳細な説明】
【技術分野】
【０００１】
本発明は、デジタルテレビジョン装置に関し、特にデジタルテレビジョン受信機における高速なチャンネル変更を実現する方法に関する。
【背景技術】
【０００２】
テレビジョン、セットトップボックス等のデジタルテレビジョンまたはビデオ受信機のチャンネル変更時間は、テレビジョン信号が複雑なため、本質的に長い。特に、ラインからラインへの冗長性ならびにデジタル画像内のフレームからフレームへの冗長性を排除するために、デジタルテレビジョン信号は圧縮されている。デジタルテレビジョンシステムで利用されるこの圧縮技術のため、入力されるテレビジョン信号はデコードおよび表示が難しくなる。
【０００３】
入力されるデジタルテレビジョン信号は、表示される前に、大量の処理を経なければならない。少なくとも、デジタルテレビジョン信号は、ディスプレイ装置上での表示のためにエンコードする前に、同調、復調およびデコード処理を経なけなければならない。このように、デジタルテレビジョン信号に対する複雑なエンコード方式によって高品質のテレビジョン画像が生成される一方で、その複雑なエンコード方式はビデオ信号の再生成における遅延の原因ともなっている。チャンネルの変更においては、デジタルテレビジョン信号が、同じ同調、復調およびデコードプロセスを受ける必要があるので、チャンネル変更要求後のビデオ信号を与えるときにも、必然的に遅延が生じる。
【発明の開示】
【発明が解決しようとする課題】
【０００４】
近年、デジタルビデオ記憶装置またはパーソナルビデオレコーダとして知られる装置が導入されている。ＰＶＲ（Ｐｅｒｓｏｎａｌ  Ｖｉｄｅｏ  Ｒｅｃｏｒｄｅｒ）は、メモリまたはハードディスクドライブ等、テレビジョンデータをデジタル形式で記憶媒体に記録する装置に対する汎用的な用語であり、ＨＤＲ（ｈａｒｄ  ｄｉｓｋ  ｒｅｃｏｒｄｅｒ）、ＤＶＲ（ｄｉｇｉｔａｌ  ｖｉｄｅｏ  ｒｅｃｏｒｄｅｒ）、ＰＶＳ（ｐｅｒｓｏｎａｌ  ｖｉｄｅｏ  ｓｔａｔｉｏｎ）またはＰＴＲ（ｐｅｒｓｏｎａｌ  ＴＶ  ｒｅｃｅｉｖｅｒ）と呼ぶこともできる。デジタルビデオ記憶装置は、記憶媒体を利用して、ユーザが選択するときにテレビジョン番組を記録しおよび保存する。その設計のため、ＰＶＲは多くの特性および機能性を提供する。この特性の１つは、ライブポーズとして知られている。ライブポーズにより、ユーザはライブのテレビジョン番組を一時停止することができる。しかしながら、ライブポーズでは、ライブの番組に対しても視聴前にデジタルビットストリームを記憶し、読み出しおよびデコードすることが必要である。従って、ハードドライブベースのデジタルビデオレコーダでは、遅延が増加することが理解されるだろう。なぜならば、ライブポーズ機能を可能とするために、視聴番組は常に事前に記録されたデータでなるからである。これによって、チャンネル変更時間はさらに遅延する。
【０００５】
オンスクリーン番組またはチャンネルガイドが益々利用可能となっているけれども、チャンネルサーフィングは視聴者にとって選択方法であり続ける。チャンネル変更毎に生じる１／４秒から１／２秒の遅延のため、チャンネルを変えるのにうんざりしてしまう。
【０００６】
上述のように、デジタルビデオ機器においては、より高速にチャンネル変更することを提供するニーズがあることが理解できる。
【課題を解決するための手段】
【０００７】
本発明の原理によると、デジタルビデオ信号処理システムは、特にデジタルテレビジョン受信機の記憶装置からライブテレビジョン番組を視聴するときの、チャンネル変更遅延を減らす。
【０００８】
１つの実施形態では、デジタルビデオ記憶装置、多重チューナデジタルビデオ記憶装置の動作方法においては、並行して、デジタルテレビジョン信号の現在選択されたデジタルテレビジョンチャンネルのビデオデータと、予測デジタルビデオチャンネルのビデオデータとを取得し、記憶しおよび読み出す。現在選択されたデジタルテレビジョンチャンネルのビデオデータをデコードし、デジタルビデオ記憶装置に関連付けられたディスプレイ上での表示のために提供する。予測デジタルテレビジョンチャンネルに対するチャンネル変更要求を受信すると、デジタルビデオ記憶装置は、ディスプレイへの表示のために予測デジタルテレビジョンチャンネルの読み取ったビデオデータをデコードし始める。
【０００９】
上述のおよび本発明の他の特徴および目的ならびにこれらを実現する方法は、付属の図面と併せて本発明の実施形態の以下の説明を参照することにより明らかとなり、本発明自体がより良く理解されるであろう。対応する参照符号は、複数の図に渡って対応する部分を示している。
【発明を実施するための最良の形態】
【００１０】
以下、図面を参照しながら、本発明の実施形態によるデジタルビデオ受信および記録機器を含むデジタルビデオ受信ならびに記録システムを説明する。
【００１１】
図１は、デジタルテレビジョン信号受信機を有するデジタルテレビジョンシステム１０を示した図である。ここでは、デジタルテレビジョン信号受信機はＰＶＲ（ｐｅｒｓｏｎａｌ  ｖｉｄｅｏ  ｒｅｃｏｒｄｅｒ）２０として具体化されている。当業者であれば、図１のブロック図は概念的なものと考えるべきであり、実際のＰＶＲにおける機能ブロックの物理的な配置構成を表さないこともあることを理解できるだろう。しかし一方では、ＰＶＲ２０のブロック図は、本発明の原理に従ってＰＶＲの動作を理解するために、高レベルで機能を示している。
【００１２】
ＰＶＲ２０は、ＤＴＶ（ｄｉｇｉｔａｌ  ｔｅｌｅｖｉｓｉｏｎ）信号処理部３０、デジタル記憶装置３２（ここでは、ＨＤＤとして具体化されている）、デコード部３４、ディスプレイエンコーダ３６ならびにＣＰＵ（中央演算処理装置、制御部、制御装置等）４０を含む。ＣＰＵ４０は、ＤＴＶ信号処理部３０、ＨＤＤ３２、デコード部３４およびディスプレイエンコーダ３６と結合され、接続されおよび／または通信させ、ＰＶＲ２０の様々なコンポーネントの制御を与えるように構成される。ＲＡＭ４２およびＲＯＭ４４は、ＣＰＵ４０と結合される。そして本明細書で説明するように、ＣＰＵ４０と通信する。ＲＯＭ４４は、ＰＶＲ２０、ＣＰＵ４０および／またはＰＶＲの他のコンポーネントの機能、特性、機能性および／または制御を実施するＰＶＲに対するプログラム命令、プログラミング等４５を記憶する。
【００１３】
ＤＴＶ信号処理部３０は、デジタルテレビジョン信号ソースに接続される。デジタルテレビジョン信号ソースは、ここではアンテナ２５によって表わされる。アンテナ２５は、複数のデジタルテレビジョンチャンネルの地上放送デジタルテレビジョン信号を受信するように構成される。しかし当然のことながら、ＰＶＲ２０を衛星およびケーブルシステム等の他のＤＴＶ信号ソースならびに複数のＤＴＶ信号ソースに接続することもできる。
【００１４】
ＤＴＶ信号処理部３０は、アンテナ２５からＤＴＶ信号を受信してＤＴＶ信号を処理し、ＤＴＶテレビジョンチャンネルを取得し、ビデオデータ、オーディオデータおよび番組データ（デジタルテレビジョンチャンネルデータ）を上記の取得されたＤＴＶテレビジョンチャンネルからのおよび／または上記の取得されたＤＴＶテレビジョンチャンネルに対するデジタルビットストリームの形で抽出または入手するように、動作し、構成されおよび／または適合される。抽出したデジタルテレビジョンチャンネルのビデオデータおよびオーディオデータは、ＨＤＤ３２に記憶または記録され、デコード部３４によりデコードされる。ビデオデータを、必要に応じてディスプレイエンコーダ３６経由で表示のためにフォーマットし、ディスプレイ５０に与える。ＣＰＵ４０は、上に示したように様々なコンポーネントに対する制御を与える。
【００１５】
本実施形態においては、ＤＴＶ信号処理部３０は、第１のデジタルテレビジョンチャンネル処理部５２および第２のデジタルテレビジョンチャンネル処理部５４を持っている。各々が、別々にＤＴＶ信号を受信してＤＴＶ信号を処理し、ＤＴＶテレビジョンチャンネルを取得し、ビデオデータ、オーディオデータおよび番組データ（デジタルテレビジョンチャンネルデータ）を上記の取得したＤＴＶテレビジョンチャンネルからのおよび／または上記の取得したＤＴＶテレビジョンチャンネルに対するデジタルビットストリームの形で抽出または入手するよう動作し、構成されおよび／または適合される。
【００１６】
ＤＴＶ信号処理部３０ならびに上述の第１のデジタルテレビジョンチャンネル処理部５２および第２のデジタルテレビジョンチャンネル処理部５４は、プログラム命令４５に従ってＣＰＵ４０により制御される。ＣＰＵ４０は、受信したチャンネル変更またはチャンネル入力命令（ならびに他のユーザ入力および／または命令）、リモートインタフェース４６経由でのリモート制御装置４８（ユーザ入力装置）からの要求および／または信号に対して動作し、構成しおよび／適合される。１つのデジタルテレビジョンチャンネル処理部（例えば、および任意にデジタルテレビジョンチャンネル処理部５２）により、選択されたデジタルテレビジョンチャンネル（現在選択しているデジタルテレビジョンチャンネル）を取得する。選択されたデジタルテレビジョンチャンネルは、ユーザが現在視聴しているものに対して選択したチャンネルである。デジタルテレビジョンチャンネル処理部５２は、デジタルテレビジョンチャンネルのビデオデータ、オーディオデータおよび番組データ（現在のデジタルテレビジョンチャンネルデータ）を、上記の取得されたＤＴＶテレビジョンチャンネルからの、および／または上記の取得されたＤＴＶテレビジョンチャンネルに対するデジタルビットストリームの形で抽出しまたは入手する。少なくとも現在のデジタルテレビジョンチャンネルのビデオビットストリーム（データ）および現在のデジタルテレビジョンチャンネルのオーディオビットストリーム（データ）は、ＨＤＤ３２に記録（記憶）される。
【００１７】
図２を参照しながら、ＤＴＶ信号処理部３０のデジタルテレビジョンチャンネル処理部５２の例示的な構成をさらに示す。デジタルテレビジョンチャンネル処理部５２は、チューナ／同調部７０を含む。チューナ７０は、デジタルテレビジョン信号ソースに接続され、複数のＤＴＶチャンネルから選択されたデジタルテレビジョンチャンネルを抽出（同調）および増幅する。チューナ７０は、デジタルテレビジョンチャンネル信号をデジタル復調器／復調器部７２に出力する。復調器７２では、デジタルテレビジョンチャンネル信号を、ビデオデータ、オーディオデータならびに番組情報を表すデジタルデータに変換する。このデジタルデータを、受信側で送信時の誤りを訂正する誤り訂正部７４（ここでは、フォワードエラー訂正部ＦＥＣ）に出力する。ＦＥＣ７４は、誤り訂正したデジタルテレビジョンチャンネルデータをデマルチプレクサ７６へ出力する。デマルチプレクサ７６は、入力されたデジタルテレビジョンチャンネルデータを、デジタルビデオ信号（ビットストリームまたはデータ）、デジタルオーディオ信号（ビットストリームまたはデータ）ならびに上記のデジタルテレビジョンチャンネルに対する番組情報もしくは上記のデジタルテレビジョンチャンネルの番組情報に分離する。
【００１８】
図１に戻ると、現在のデジタルテレビジョンチャンネルのビデオデータおよび現在のデジタルテレビジョンチャンネルのオーディオデータは、記憶装置（ＨＤＤ）３２内／記憶装置（ＨＤＤ）３２上に記録されまたは記憶される。特に、ビデオデータおよびオーディオデータは、ＨＤＤ３２上の第１のファイル（ファイル１）に記憶される。ビデオおよびオーディオデータは、ＨＤＤ３２から読み出され、デコード部３４に提供される。特に、ビデオデータは、デコード部３４の第１のビットバッファ（ｂ−ｂ  １）に継続的に読み出される（提供される）。デコード部は、デジタルビデオデータをデコードするように動作し、構成されおよび／または適合される。デコード部は、ＭＰＥＧデコーダとすることができる。デコードされたビデオデータは、次いでディスプレイエンコーダ３６に与えられる。ディスプレイエンコーダ３６は、ディスプレイ５０への表示のためにビデオデータを適切にフォーマットする。
【００１９】
ビデオバッファを使用して、ハードドライブ上以外にビデオデータを記憶することもできる。ビデオバッファを、ＤＴＶ信号処理部３０およびデコード部３４と通信するＤＲＡＭ経由で実装することができる。
【００２０】
第２のデジタルテレビジョン処理回路５４は、ＣＰＵ４０およびプログラム命令４５の制御の下で、第１のデジタルテレビジョン処理回路５２と同様な方法で別のデジタルテレビジョンチャンネルを取得しおよび処理するよう動作する。本発明の態様によると、第２のデジタルテレビジョン処理回路５４により、予測デジタルテレビジョンチャンネルが取得されおよび処理される。予測デジタルテレビジョンチャンネルは、ユーザが次のチャンネルとして合わせる（同調する）と期待された、現在合わせていないデジタルテレビジョンチャンネルである。ここで、様々なチャンネル予測アルゴリズムを使用することができる。例えば、次のような幾つかの条件が可能である。すなわち、（チャンネル変更命令、信号または要求を通して）選択される次のチャンネルはスキャンリストの上方向にある次のチャンネルであろう（である）という条件、選択される次のチャンネルはスキャンリストの下方向にある次のチャンネルであろうという条件、選択される次のチャンネルは現在合わせているチャンネルの前のチャンネルであろうという条件、ならびに、選択される次のチャンネルは最も頻繁に見られるチャンネルであろうという条件などがあり得る。従って、１つのデジタルテレビジョンチャンネル処理部（例えば、５２）を現在のテレビジョンチャンネルに合わせる一方で、第２のデジタルテレビジョン処理部（例えば、５４）を予測テレビジョンチャンネルに合わせる（同調する）。
【００２１】
第２のデジタルテレビジョンチャンネル処理部５４からの予測デジタルテレビジョンチャンネルのビデオデータおよび予測デジタルテレビジョンチャンネルのオーディオデータは、記憶装置（ＨＤＤ）３２内／記憶装置（ＨＤＤ）３２上に記録されまたは記憶される。特に、予測ビデオデータおよび予測オーディオデータは、ＨＤＤ３２上の第２のファイル（ファイル２）に記憶される。次いでその予測ビデオデータおよび予測オーディオデータは、現在のビデオデータおよびオーディオデータの読み出しと並行しておよび／または同時にＨＤＤ３２から読み出され、デコード部３４の第２のビットバッファ（ｂ−ｂ  ２）に継続的に読み出される（提供される）。
【００２２】
この実施形態では、現在のデジタルテレビジョンチャンネルおよび予測デジタルテレビジョンチャンネルの両方に対するビデオデータが、デコードするためのビットバッファ（バッファ）を継続的に満たされる一方で、現在のデジタルテレビジョンチャンネルに対するビデオデータのみがデコードされ、この結果、視聴のためにディスプレイ５０に提供される。予測デジタルテレビジョンチャンネルのデジタルテレビジョンチャンネルにマッチするようなデジタルテレビジョンチャンネルのチャンネル変更命令または要求を受信した場合、デコーダ３４は現在のデジタルテレビジョンチャンネルのビデオデータではなく予測デジタルテレビジョンチャンネルのビデオデータをデコードする。予測されたビデオデータが次いでディスプレイ５０に提供されると、予測デジタルテレビジョンチャンネルに対応するデジタルテレビジョンチャンネルが現在のデジタルテレビジョンチャンネルとなる。今現在のデジタルテレビジョンチャンネルを提供していない処理部（５２、５４）が、次の予測デジタルテレビジョンチャンネルに合わせるのに使用される。チャンネル変更が予測デジタルテレビジョンチャンネルに対応しない場合、第１のチューナまたは第２のチューナ（デジタルテレビジョン信号処理）の何れかを使用して、選択されたデジタルテレビジョンチャンネルを取得することができる。処理のもう一方は、次いで予測デジタルテレビジョンチャンネルを取得する。
【００２３】
１つからだけではなく、現在のテレビジョンチャンネルビットストリームからおよび予測テレビジョンチャンネルビットストリームからビデオデータをデコードするように、デコード部３４を構成し、動作させおよび／または適応させることもできる。この場合、デジタルテレビジョンチャンネルの各々からのビデオデータが、ディスプレイエンコードされている点に対して処理される。もちろん、２つのビデオビットストリーム（現在のものと予測したもの）のうち１つのみからのビデオデータが、ディスプレイ５０上での表示のためにディスプレイエンコーダ３６に与えられる。
【００２４】
図３は、本明細書で説明した本発明の原理に従うデジタルビデオ受信機（例えば、ＰＶＲ）の動作方法を、全体として８０と表示されたフローチャートとして示した図である。当然のことながら、フローチャート８０の各ブロックまたは囲みはＰＶＲにより実装されたステップまたは機能を表す。また当然のことながら、フローチャート８０に関して本明細書で図示および説明した動作方法のサブセット（特定のまたは選択されたブロックまたはステップ）もまた動作方法を構成する。同様に、ブロックまたはステップの順序は、必ずしもＰＶＲ内部のまたはＰＶＲによる様々なステップの実行順序に対応するとは限らない。
【００２５】
ステップ８２において、ＰＶＲは第１のデジタルテレビジョンチャンネルを（複数のデジタルテレビジョンチャンネルを含む）デジタルテレビジョン信号から取得する。ステップ８４において、ＰＶＲは第２のデジタルテレビジョンチャンネルをデジタルテレビジョン信号から取得する。第１のデジタルテレビジョンチャンネルは、ステップ８６において処理される。第１のデジタルテレビジョンチャンネルの処理には、ビデオ信号、データまたはビットストリームをＤＴＶチャンネルから抽出することが含まれる。第２のデジタルテレビジョンチャンネルは、ステップ８８において処理される。第２のデジタルテレビジョンチャンネルの処理には、ビデオ信号、データまたはビットストリームをＤＴＶチャンネルから抽出することが含まれる。
【００２６】
ステップ９０において、第１のＤＴＶチャンネルを処理することで得られたビデオデータ（第１のビデオデータ）が、ＰＶＲによって例えばＨＤＤ内に記録または記憶される。第１のビデオデータは、第１のビデオデータファイルに記録される。ステップ９２において、第２のＤＴＶチャンネルを処理することで得られたビデオデータ（第２のビデオデータ）が、ＰＶＲによって例えばＨＤＤ内に記録または記憶される。第２のビデオデータは、第１のビデオデータファイルに記録される。
【００２７】
ステップ９４において、記録された第１のビデオデータが記憶装置から第１のバッファに読み出される。ステップ９６において、各ビデオビットストリームが十分に継続的にバッファを満たすように、第１のビデオデータを第１のバッファに読み出すのと実質的に並行して、同時または交互に、記録された第２のビデオデータが記憶装置から第２のバッファに読み出される。
【００２８】
次いでステップ９８において、第１のビデオデータが、ディスプレイ装置への表示のためにバッファからデコードされる。ステップ１００において、チャンネル変更命令、要求または信号を受信し、要求されたＤＴＶチャンネルが第２のＤＴＶチャンネルと同一か、それに対応するかまたはマッチするとき、第１のビデオデータがデコードされるのではなく、第２のビデオデータがディスプレイ表示のためにバッファからデコードされる。上で示したように、代替的に、デュアルデコーダがバッファからの各ビデオストリームを処理して、次いで選択的にそれらの出力をディスプレイ表示のためにビデオエンコーダに提供することもできる。
【００２９】
また当然のことながら、ＤＴＶ信号処理および／または処理部３０は、３つ以上のデジタルテレビジョンチャンネル処理部または回路／ロジックを含み、本明細書で説明した方法によって１つまたは複数のＤＴＶ信号から３つ以上のデジタルテレビジョンチャンネルに合わせ、これらのチャンネルを取得し、入手しおよび／または処理することもできる。従って、（第２のデジタルテレビジョンチャンネル処理５４の使用または不使用と同様に）別の目的に使用されず現在のデジタルテレビジョンチャンネルに合わせられて（同調されて）いない各チューナ（デジタルテレビジョンプロセッサ）が、予測テレビジョンチャンネルに合わせされる。各予測デジタルテレビジョンチャンネルのデータは、記憶装置内の別々のファイルに記録または記憶される。必要ならば、デコーダとともに、追加のデコードバッファを各予測デジタルテレビジョンチャンネルに備えることもできる。このような複数の同調／処理装置によって、より高速なチャンネル変更を可能にするさらなる機能を可能とすることができる。
【００３０】
特に、多重ＤＴＶ信号処理装置（即ち、３つ以上のチューナ／プロセッサ（“チューナ”）を有するＤＴＶ装置）において、さらなる応用例を提供することができる。この応用例では、チューナ１を使用して現在見ているデジタルテレビジョンチャンネルを受信する。チューナ２を使用して、予測した次のチャンネルからビデオストリームを取得およびバッファする。チューナ３を使用して、デジタルテレビジョンチャンネルの全てをスキャンし、各デジタルテレビジョンチャンネルに対するＭＰＥＧビットストリーム内のＩフレームを発見する。各チャンネルに対して発見したＩフレームをバッファ（ＤＲＡＭ）、ハードドライブまたは他のデジタル記憶装置に、オンスクリーンガイドをポピュレートするためのサムネイル画像として提供および記憶する。サムネイル（各デジタルテレビジョンチャンネルに対するＩフレームを入手）は、例えばチャンネル変更後または最後のサムネイル更新後の所定の経過時間後に、必要に応じてリフレッシュさせることができる。
【００３１】
本発明を好適な設計を有するとして説明したが、本発明は本開示の精神および範囲内でさらに変形することができる。例えば、複数のＤＴＶチャンネルを十分に同時に処理するコンテクストで説明したが、本発明は複数のデジタルビデオソースの同時処理に対しても適用可能である。より詳細には、説明したシステムは現在選択しているデジタルビデオ信号源からの信号を処理および記憶することができるが、一方で、十分に同時に第２のビデオ信号源または予測ビデオ信号源からデジタルビデオ信号も処理および記録することもできる。本出願では、その一般的な原理を使用して本発明の適応例を任意に変形し、利用することを含むことを意図している。さらに本出願では、本開示からの上記の逸脱は、本発明が関連する当業界で周知または慣習的な実行が含まれ、それらは添付された請求項の範囲内にあることを意図している。
【図面の簡単な説明】
【００３２】
【図１】本発明の原理による例示的デジタルビデオ記憶装置のブロック図である。
【図２】図１の例示的なデジタルビデオ記憶装置の例示的なデジタルテレビジョンチャンネルプロセッサのブロック図である。
【図３】本原理によるデジタルビデオ記憶装置の例示的動作方法のフロー図である。
【図１】
2009524983.tif 000003
【図２】
2009524983.tif 000004
【図３】
2009524983.tif 000005
【手続補正書】
【提出日】平成19年9月17日(2007.9.17)
【手続補正１】
【補正対象書類名】図面
【補正対象項目名】全図
【補正方法】変更
【補正の内容】
【図１】
2009524983.tif 000006
【図２】
2009524983.tif 000007
【図３】
2009524983.tif 000008
【国際調査報告】
2009524983.tif 000009
2009524983.tif 000010
2009524983.tif 000011